(57)【要約】【課題】動作前と動作後の位置決め効果を形成した、実用性かつ進歩性を有する、後方跳上げ式フレキシブル配線板用電気コネクタの提供。【解決手段】本考案の後方跳上げ式フレキシブル配線板用電気コネクタは、ケース、端子、加圧部を含み、そのうち、固定アームの被圧部近くに凸縁部を形成し、前記加圧部の側縁に前記凸縁部に対応してこれを収容することができる第一凹部と第二凹部がそれぞれ形成され、電気コネクタの動作前は、前記加圧部の第一凹部に前記被圧部の凸縁部を嵌合し、動作前の位置決め効果を達することができ、電気コネクタの動作後は、前記加圧部の第二凹部に前記被圧部の凸縁部を嵌合して動作後の位置決め効果を達し、使用者は電気コネクタがすでにあらかじめ定めた押さえ動作を完了したことを確認することができる。【選択図】図３
0003149540.tif 000002
【実用新案登録請求の範囲】
【請求項１】
フレキシブル配線板の電気的接続を行うための電気コネクタであって、前記電気コネクタが、ケースと、端子と、加圧部を含み、
前記端子は相互に同じ方向に延伸されかつ並べて配置された可動アームと固定アームを備え、そのうち、前記可動アームは一端にプッシュ部、他端に被圧部を備え、前記固定アームは前記ケースに固定され、前記固定アームの前記被圧部近くの一端に凸縁部が形成され、前記凸縁部近くに当接辺が形成されると共に、前記可動アームと固定アームは連結部を介して一体となった部材を形成し、
前記加圧部は前記被圧部を押すことができる押圧部を備え、且つ前記加圧部の側縁に前記凸縁部に対応し、これを収容することができる第一凹部と第二凹部がそれぞれ形成され、
前記加圧部が移動の操作を受けてあらかじめ定めた方向に移動されると、前記加圧部の押圧部が前記可動アームの被圧部を押し、前記可動アームが前記連結部を支点として梃子のように一定角度の移動を行い、前記可動アームのプッシュ部により前記フレキシブル配線板を押さえることができることを特徴とする、後方跳上げ式フレキシブル配線板用電気コネクタ。 
【請求項２】
前記固定アームの前記ケースに固定される箇所に固定端が形成されたことを特徴とする、請求項１に記載の後方跳上げ式フレキシブル配線板用電気コネクタ。
【請求項３】
前記固定アームの前記プッシュ部に対応する箇所に嵌合部が形成されたことを特徴とする、請求項１に記載の後方跳上げ式フレキシブル配線板用電気コネクタ。
【考案の詳細な説明】
【技術分野】
【０００１】
本考案は電気コネクタに関し、特に、位置決め機能を備えた後方跳上げ式フレキシブル配線板用電気コネクタに関する。
【背景技術】
【０００２】
フレキシブル配線板を電気的に接続させるため、通常この種のフレキシブル配線板は電気コネクタに接続される。この電気コネクタはケース、端子、加圧部を含み、該電気コネクタの加圧部を作動させると、該加圧部が該端子を作動させ、該端子に該フレキシブル配線板を押さえさせることができる。
【０００３】
図１と図２に従来の電気コネクタの実施例の断面図１と２を示す。これらの図からはっきりと分かるように、従来の電気コネクタ１はケース１１、端子１２、加圧部１３を含み、前記端子１２は同じ方向に延伸され、かつ並べて設置された固定アーム１２１と可動アーム１２２を含み、前記固定アーム１２１は前記ケース１１上に固定され、前記可動アーム１２２は一端にプッシュ部１２３を備え、他端に被圧部１２４を備え、かつ前記固定アーム１２１と前記可動アーム１２２は連結部１２５により接続されて一体を成し、また前記加圧部１３はカム１３１を備えている。
【０００４】
フレキシブル配線板１４を電気コネクタ１に挿入するときは、前記加圧部１３に施力して動かし、該加圧部１３をあらかじめ定めた方向に移動させると、該加圧部１３のカム１３１が前記被圧部１２４を上方向に押し動かし、かつ前記可動アーム１２２が前記連結部１２５を支点として一定角度移動し、前記プッシュ部１２３が前記フレキシブル配線板１４を押さえ、これにより前記端子１２が前記フレキシブル配線板１４と電気的に接続される。
【０００５】
しかしながら、上述の電気コネクタ１は使用時に次のような問題と欠点が確実に存在する。
一、従来の電気コネクタ１は加圧部１３のカム１３１の回転を利用し、前記可動アーム１２２のプッシュ部１２３で前記フレキシブル配線板１４を押さえるが、電気コネクタ１の動作前に使用者が前記加圧部１３に誤って触れてしまい、該電気コネクタ１に誤動作を生じさせる可能性がある。
二、従来の電気コネクタ１は加圧部１３のカム１３１の回転を利用し、前記可動アーム１２２のプッシュ部１２３で前記フレキシブル配線板１４を押さえるが、電気コネクタ１の動作後、使用者は前記プッシュ部１２３がすでに前記フレキシブル配線板１４を確実に押さえており、かつ電気的接続が完了されているかを知ることはできない。
【０００６】
本考案の考案者は上述の欠点に鑑みて、関連資料を収集し、多方面の評価と考慮を経て、関連産業において長年蓄積した経験に基づき試作と修正を重ね、この位置決め機能を備えた後方跳上げ式フレキシブル配線板用電気コネクタの実用新案の開発に至ったものである。
【考案の開示】
【考案が解決しようとする課題】
【０００７】
本考案の主な目的は、従来の電気コネクタに存在する動作前の位置決め効果がないという問題点を打破し、動作前の位置決め効果を形成した、実用性かつ進歩性を有する、後方跳上げ式フレキシブル配線板用電気コネクタを提供することにある。
【０００８】
本考案の別の目的は、従来の電気コネクタに存在する動作後の位置決め効果がないという問題点を打破し、動作後の位置決め効果を形成した、実用性かつ進歩性を有する、後方跳上げ式フレキシブル配線板用電気コネクタを提供することにある。
【課題を解決するための手段】
【０００９】
本考案の電気コネクタはフレキシブル配線板の電気的接続に用いられ、ケース、端子、加圧部を含み、前記端子は相互に同じ方向に延伸されかつ並べて設置された可動アームと固定アームを備え、前記可動アームは一端にプッシュ部、他端に被圧部を備え、前記固定アームは前記ケースを利用して固定され、該固定アームは前記被圧部近くの一端に凸縁部が形成され、前記凸縁部の近くに当接辺が形成され、前記可動アームと前記固定アームは連結部を介して一体となった部材を形成し、前記加圧部は前記被圧部を押す押圧部を備え、且つ前記加圧部の側縁に前記凸縁部に対応し、これを収容することができる第一凹部と第二凹部がそれぞれ形成される。
【００１０】
本考案のフレキシブル配線板用電気コネクタは、前記固定アームの前記被圧部近くの一端に凸縁部が形成され、前記加圧部の側縁に前記凸縁部に対応してこれを収容することができる第一凹部が形成されているため、電気コネクタの動作前は、前記加圧部の第一凹部に前記被圧部の凸縁部を嵌合させ、効果的に動作前の位置決めが形成され、電気コネクタ操作時に誤動作が発生しないようにすることができる。
【００１１】
本考案のフレキシブル配線板用電気コネクタは、前記固定アームの前記被圧部近くの一端に凸縁部が形成され、前記加圧部の側縁に前記凸縁部に対応してこれを収容することができる第二凹部が形成され、電気コネクタの動作後、前記加圧部の第二凹部に前記被圧部の凸縁部を嵌合させることができ、使用者は前記第二凹部と前記凸縁部を嵌合させることで加圧部があらかじめ定めた加圧の動作を完了したことを確認することができ、電気コネクタの操作時に誤動作が発生しないようにすることができる。
【考案の効果】
【００１２】
このため、全部の図に示すように、本考案の使用時は、従来の技術と比較して次のような利点が確実に存在する。
【００１３】
本考案の電気コネクタ２の固定アーム４２の前記被圧部４１２近くの一端に凸縁部４２２が形成され、前記加圧部５の側縁に前記凸縁部４２２に対応してこれを収容することができる第一凹部５２が形成されているため、電気コネクタ２の動作前に前記加圧部５の第一凹部５２に前記被圧部４１２の凸縁部４２２を嵌合させ、動作前の位置決め効果を達することができる。また、前記加圧部５の側縁に前記凸縁部４２２に対応してこれを収容することができる第二凹部５３が形成されているため、電気コネクタ２の動作後、前記加圧部５の第二凹部５３に前記被圧部４１２の凸縁部４２２を嵌合させ、使用者は前記加圧部５がすでにあらかじめ定めた加圧動作を完了したことを効果的に確認することができる。これにより、本考案の電気コネクタ２は動作前、後の位置決め効果を達することができ、動作前は使用者が電気コネクタ２に誤って触れてしまい電気コネクタ２の誤動作を発生するのを回避することができ、また動作後使用者は電気コネクタ２がすでにあらかじめ定めた押さえの動作を完了したことを効果的に確認することができ、使用者が前記加圧部５の加圧を続けて電気コネクタ２が破損してしまうことがないようにすることができる。これにより、電気コネクタ２に動作前後の位置決め効果を持たせ、実用性と進歩性を達することができる。
【考案を実施するための最良の形態】
【００１４】
図３に本考案の最良の実施例の断面図を示す。この図からはっきりと分かるように、本考案の電気コネクタ２は、ケース３と、端子４と、加圧部５を含む。
【００１５】
前記端子４は相互に同じ方向に延伸されかつ並べて配置された可動アーム４１と固定アーム４２を備え、そのうち、前記可動アーム４１は一端にプッシュ部４１１、他端に被圧部４１２を備え、前記固定アーム４２は一端の固定端４２１を利用してケース３に固定され、前記固定アーム４２の前記被圧部４１２近くの一端に凸縁部４２２が形成され、前記凸縁部４２２近くに当接辺４２３が形成されると共に、前記固定アーム４２の前記プッシュ部４１１に対応する箇所に嵌合部４２４が形成され、また前記可動アーム４１と固定アーム４２は連結部４３を介して一体となった部材を形成する。
【００１６】
前記加圧部５は前記被圧部４１２を押すことができる押圧部５１を備え、且つ前記加圧部５の側縁に前記凸縁部４２２に対応し、これを収容することができる第一凹部５２と第二凹部５３がそれぞれ形成される。
【００１７】
上述の構造、組み立て設計に基づき、本考案の使用作動状況について以下で説明する。同時に図４、図５、図６、図７、図８、図９に本考案の最良の実施例の実施状態を示す側面断面図１から６をそれぞれ示す。これらの図からはっきりと分かるように、本考案の電気コネクタ２はフレキシブル配線板２１を電気的に接続するために用いることができ、図４に示すように、本考案の電気コネクタ２の動作前は、前記固定アーム４２の前記被圧部４１２近くの一端に凸縁部４２２が形成され、前記加圧部５の側縁に前記凸縁部４２２に対応してこれを収容することができる第一凹部５２が形成され、前記加圧部５は該第一凹部５２を効果的に利用して前記固定アーム４２の凸縁部４２２に位置決めすることができ、これにより、使用者が電気コネクタ２の動作前に前記加圧部５に誤って触れてしまい、本考案の電気コネクタ２に誤動作を発生するということがないようにし、動作前の位置決め効果という実用的進歩性を達成することができる。
【００１８】
フレキシブル配線板２１を前記ケース３に入れて電気的接続を行うときは、前記加圧部５に施力して加圧部５をあらかじめ定めた方向に移動させると、加圧部５の押圧部５１が前記可動アーム４１の被圧部４１２を押し、該可動アーム４１が前記連結部４３を支点として梃子のように一定角度移動され、該可動アーム４１のプッシュ部４１１により前記フレキシブル配線板２１を押さえることができる。
【００１９】
図５に示すように、前記加圧部５に対して施力し、かつ前記連結部４３を支点として一定角度の移動を行うと、前記加圧部５の第一凹部５２が加圧部５の移動により前記凸縁部４２２から離れ、かつ図６に示すように、前記第一凹部５２が前記凸縁部４２２から離れるため、該凸縁部４２２が前記加圧部５に上方向に押す力を発生させ、同時に該加圧部５の押圧部５１がこの上方向に押す力によって前記可動アーム４１の被圧部４１２を押し、可動アーム４１の被圧部４１２を上方向に持ち上がらせる。さらに図７に示すように、前記加圧部５の押圧部５１がこの上方向に押す力を継続して利用して前記可動アーム４１の被圧部４１２を持ち上げ、該可動アーム４１の被圧部４１２を効果的に上方向に起こし、該可動アーム４１に連結部４３を支点として梃子のように一定角度の移動を発生させ、さらに該可動アーム４１のプッシュ部４１１に前記フレキシブル配線板２１を押さえさせる。
【００２０】
図８に示すように、前記可動アーム４１の被圧部４１２が効果的に上方向に持ち上げられた後、前記固定アーム４２の前記凸縁部４２２近くに当接辺４２３が形成されているため、該当接辺４２３が前記加圧部５を押してケース３内に滑入させることができる。さらに図９に示すように、前記当接辺４２３が前記加圧部５を押して該加圧部５を前記ケース３に滑入させ、かつ該加圧部５の前記第一凹部５２近くの側縁に前記凸縁部４２２に対応してこれを収容することができる第二凹部５３が形成されているため、該第二凹部５３を前記固定アーム４２の凸縁部４２２に嵌合させることができ、該第二凹部５３が該凸縁部４２２に完全に嵌入されたとき、フレキシブル配線板２１の電気的接続が完了する。上述の構造により、本考案のコネクタに動作後の位置決め効果を持たせることができ、使用者は加圧部５のあらかじめ定めた加圧動作の完了を効果的に確認でき、誤動作による電気コネクタ２の破損発生を回避することができる。
【図面の簡単な説明】
【００２１】
【図１】従来の電気コネクタの実施状態を示す側面断面図１である。
【図２】従来の電気コネクタの実施状態を示す側面断面図２である。
【図３】本考案の最良の実施例の断面図である。
【図４】本考案の最良の実施例の実施状態を示す側面断面図１である。
【図５】本考案の最良の実施例の実施状態を示す側面断面図２である。
【図６】本考案の最良の実施例の実施状態を示す側面断面図３である。
【図７】本考案の最良の実施例の実施状態を示す側面断面図４である。
【図８】本考案の最良の実施例の実施状態を示す側面断面図５である。
【図９】本考案の最良の実施例の実施状態を示す側面断面図６である。
【符号の説明】
【００２２】
１        電気コネクタ
１１      ケース
１２      端子
１２１    固定アーム
１２２    可動アーム
１２３    プッシュ部
１２４    被圧部
１２５    連結部
１３      加圧部
１３１    カム
１４      フレキシブル配線板
２        電気コネクタ
２１      フレキシブル配線板
３        ケース
４        端子
４１      可動アーム
４１１    プッシュ部
４１２    被圧部
４２      固定アーム
４２１    固定端
４２２    凸縁部
４２３    当接辺
４２４    嵌合部
４３      連結部
５        加圧部
５１      押圧部
５２      第一凹部
５３      第二凹部
【図１】
0003149540.tif 000003
【図２】
0003149540.tif 000004
【図３】
0003149540.tif 000005
【図４】
0003149540.tif 000006
【図５】
0003149540.tif 000007
【図６】
0003149540.tif 000008
【図７】
0003149540.tif 000009
【図８】
0003149540.tif 000010
【図９】
0003149540.tif 000011